(57)【要約】【課題】片手操作で情報通信機器を装着するための保持部材１を提供する。【解決手段】内歯車３０と遊星歯車２９と太陽歯車２８からなる歯車機構と、前記歯車機構によって回動する軸部３２と、第一連結部材２２と第二連結部材２３を備えたプレート２１と、長溝１４が一体形成されたベースプレート１１と、支持具１３を備えたテーブル１２と、後ろカバー３３の底板３３ａに取り付けたバネ３１を設けて連結させ各部材が連動することにより情報通信機器の装着が可能になることを特徴とする保持部材１である。【選択図】図１
2016212549.tif 000002
【特許請求の範囲】
【請求項１】
情報通信機器を固定するための情報通信機器用アームスタンドであって、該アームスタンドは、基台に一端が固定されるリンク部材を備え、このリンク部材の他端には、情報通信機器を固定するための保持部材を取り付けており、前記保持部材はベースプレートと、このベースプレートに形成された左右方向の長溝内をスライドする左右二つのテーブルと、該テーブルに設けられて情報通信機器を保持するための保持具と、前記テーブルを左右方向にスライドされるための駆動手段とを備えていることを特徴とする情報通信機器用アームスタンド。
【請求項２】
前記駆動手段は、テーブルをスライドさせるためのレバーを備え、該レバーを操作することで歯車機構を介してテーブルをスライドさせるものである請求項１記載の情報通信機器用アームスタンド。
【請求項３】
前記駆動手段は、カバーによって覆われていることを特徴とする請求項１又は２記載の情報通信機器用アームスタンド。  
【発明の詳細な説明】
【技術分野】
【０００１】
本発明は、情報通信機器を支持するアームスタンドに関するものである。
【背景技術】
【０００２】
従来、情報通信機器の登場とともに、それを支持するアームスタンドがでまわり、最近では、パソコン用ウェブサイトの閲覧が可能となっているスマートフォンや操作する人が手で持って液晶画面（タッチパネル）を指で触れて操作するタイプのコンピューターとしてのタブレット端末の普及に対応したアームスタンドの開発が多くみられるようになった。
【０００３】
情報通信機器の中でも、スマートフォンやタブレット端末をアームスタンドの保持部材に装着する方法として、被保持部材を保持部材に設けた支持具で、上下や左右、又は斜めから挟み、ネジ等の固定具で固定するものが一般的であるが、両手による細かい動作が必要である。つまり、情報通信機器をスタンドに預けた状態で左右の手を使って固定作業を行う必要があった。
【０００４】
また、別の装着方法として、保持部材に内設されたバネの収縮する力で被保持部材を上下や左右、又は斜めから挟持し、且つ好適に固定できるものがあるが、スマートフォンの様な小型サイズとタブレット端末の様な中型サイズの両用としての対応ができず、どちらか一方のみの使用に限られるものか、小型サイズ用と中型サイズ用の保持部材を付け替えることで対応するものである。
【先行技術文献】
【特許文献】
【０００５】
【特許文献１】特開２００５−２８７８８３号公報
【特許文献２】特開２００９−１８９７５６号公報
【特許文献３】特開２０１２−１８９９５６号公報
【発明の概要】
【発明が解決しようとする課題】
【０００６】
本発明は上記問題点を解決するものであり、その課題は情報通信機器をアームスタンドの保持部材へ片手操作で装着するために、歯車機構やスライド方式の構造により、情報通信機器を任意の位置に装着できる保持部材を提供することにある。つまり、片方の手で情報通信機器を保持し、他方の手のみの操作で情報通信機器を固定保持できるようにした。また、保持部材をスマートフォンのような小型サイズ、タブレット端末のような中型サイズ兼用として使用出来るものにすることも課題としている。
【課題を解決するための手段】
【０００７】
本発明は、情報通信機器を固定するための情報通信機器用のアームスタンドであって、該アームスタンドは、基台に一端が固定されるリンク部材を備え、このリンク部材の他端には、情報通信機器を固定するための保持部材が取り付けられており、前記保持部材はベースプレートと、このベースプレートに形成された左右方向の長溝をスライドする左右二つのテーブルと、該テーブルに設けられて情報通信機器を保持するための保持具と、前記テーブルを左右方向にスライドさせるための駆動手段とを備えていることを特徴としたものである。
【０００８】
また、前記駆動手段は、テーブルをスライドさせるためのレバーを備え、該レバーを操作することで歯車機構を介してテーブルをスライドさせるものであり、この駆動手段は、カバーによって覆われている。
【発明の効果】
【０００９】
本発明は、前述した構造により情報通信機器の装着が、高齢者や女性や子供でも手軽で簡単にできるものである。
【図面の簡単な説明】
【００１０】
【図１】本発明の全体を示す側面図である。
【図２】本発明の保持部材の構成を示す全体分解斜視図である。
【図３】本発明の保持部材の第一連結部材と第二連結部材及びプレートの詳細を示す分解斜視図である。
【図４】本発明の保持部材の軸部及びその周辺部材の詳細を示す分解斜視図である。
【図５】本発明の保持部材のテーブル及びその周辺部材の構成を示す拡大分解斜視図である。
【図６】本発明の保持部材を示す断面図である。
【図７】本発明の保持部材の背面斜視図である。
【図８】本発明の実施形態に係る保持部材の操作レバーを操作していない場合の全体分解斜視図である。
【図９】本発明の実施形態に係る保持部材の操作レバーを約１５°にした場合の全体分解斜視図である。
【図１０】本発明の実施形態に係る保持部材の操作レバーを約３０°にした場合の全体分解斜視図である。
【図１１】本発明の実施形態に係る保持部材に情報通信機器を保持していない状態を示す斜視図である。
【図１２】本発明の実施形態に係る保持部材に情報通信機器のスマートフォンを保持した状態を示す斜視図である。
【図１３】本発明の実施形態に係る保持部材に情報通信機器のタブレット端末を保持した状態を示す斜視図である。
【発明を実施するための形態】
【００１１】
以下、本発明の一実施の形態を図面を参照しながら説明する。
【００１２】
図１に示すように、本発明のアームスタンドは、基台４、例えば、ベッドのフレーム等に固定部材５を介してリンク部材２、３の一端が固定されている。そして、このリンク部材２、３の他端には、情報通信機器、例えば、スマートフォンＳ、タブレット端末Ｔ等を保持するための保持部材１が取り付けられている。この保持部材１は、例えば、ボールジョイントで連結され、適度な摩擦力で回動自在に保持されている。上記した保持部材１は、左右方向に長い概略菱形状のベースプレート１１を備え、このベースプレート１１には、左右方向に長溝１４が形成されている。そして、この長溝１４には、それぞれ円形状のテーブル１２、１２がスライド可能とされている。そして、このテーブル１２、１２のスライドは、テーブル１２、１２の裏面で繋がっている第二連結部材２３が長溝１４にスライド自在に嵌め込まれていることで可能としている（図２、図５参照）。
【００１３】
次に、本発明の保持部材の構成を図３、図４に基づいて説明する。保持部材１は、段階的に凹みを有する円形状の後ろカバー３３を備え、この後ろカバー３３がボールジョイント（図示せず）を介してリンク部材２に連結されている。また、この後ろカバー３３には、その中央部に軸部３２が固定されており、この軸部３２は、円形状の座部３２ａと、この座部３２ａよりも小径で円形状の中間部３２ｂと、該中間部３２ｂから突出する四角形状の軸３２ｃとから構成されている。そして、後ろカバー３３の外周部分には、内歯車３０が形成されるとともに、前記軸部３２には、太陽歯車２８が皿ビス６０で固定されており、この太陽歯車２８と内歯車３０との間には遊星歯車２９が介在されている。なお、遊星歯車２９は、後述する操作レバー２５に皿ネジ５９で取り付けられるとともに、内歯車３０と噛み合わされている。前記軸部３２の四角形状の軸３２ｃには、菱形状のプレート２１に形成された角穴が嵌め込まれている。  
【００１４】
上記したベースプレート１１の裏面側には、菱形状のプレート２１が配置されており、このプレート２１には、横長の第一連結部材２２、２２が取り付けられている。そして、この第一連結部材２２、２２は、それぞれその一端２２ａ、２２ｂがプレート２１に回転可能にピン部材５５で取り付けられている。一方、この第一連結部材２２、２２のそれぞれ他端２２ｃ、２２ｄには、第二連結部材２３、２３のそれぞれ一端２３ｃ、２３ｄが回動自在にピン部材５５で取り付けられており、さらに、第二連結部材２３、２３のそれぞれ他端２３ｅ、２３ｆには、上記した左右のテーブル１２、１２が回動自在にピン部材５３、５３で取り付けられている。また、プレート２１は軸部３２の軸３２ｃに嵌め込み固定されている。本実施例では、軸部３２が底板３３ａの中心に突設され、主軸ボルト５８を挿通してクリップ３４で抜け止めを行うようにしている。上記構成とすることでプレート２１、第一連結部材２２、２２、第二連結部材２３、２３は多段状で椀形をした後ろカバー３３で覆われるようになっている。この後ろカバー３３には、内歯車３０が一体形成されており、この内歯車３０は、操作レバー２５に取り付けられた遊星歯車２９と噛み合わされている。そして、太陽歯車２８は遊星歯車２９と噛み合わされた状態で軸部３２に固定されいる。なお、上記した操作レバー２５は、後ろカバー３３の多段状部分の一部に設けられた切欠部２７から突出している。そして、この切欠部２７から突出している操作レバー２５の端にはグリップ２６が取り付けられている（図７参照）。  
【００１５】
図３は、保持部材の構成を示す全体分解斜視図である。ベースプレート１１と外枠材２０の間には、第一連結材２２、２２が可動する隙間をつくるために４個のスペーサー５１が配置されている。このベースプレート１１の左右両端４ケ所と４個のスペーサー５１と外枠材２０は皿ネジ（長）５０の４本により挿通され、４個のナット５６により外枠材２０の裏面で留められ固定されている。また、プレート２１とその両端の上側の第一連結部材２２、２２のそれぞれ一端２２ａ、２２ｂは、回動自在にピン部材５５、５５で挿通され、クリップ５７、５７によりプレート２１の裏面で留められている。そして、第一連結部材２２、２２のそれぞれ他端２２ｃ、２２ｄとその上側の第二連結部材２３、２３のそれぞれ一端２３ｃ、２３ｄは回動自在にピン部材５５、５５により挿通され、クリップ５７、５７により第一連結部材２２、２２の裏面で留められている。そして、この第二連結部材２３、２３のそれぞれ他端２３ｅ、２３ｆの上側にはテーブル１２、１２が、回動自在にピン部材５３、５３で挿通され、クリップ５７、５７により第二連結部材２３、２３の裏面で留められている。
【００１６】
また、図４の座部３２ａには太陽歯車２８が嵌め込まれ皿ビス６０で固定され、中間部３２ｂには操作レバー２５の一端が回動自在に嵌めこまれており、さらに、四角形状に形成された軸３２ｃには、プレート２１に形成された四角形状の角穴が嵌め込まれ固定されている。そして、操作レバー２５とその下側の遊星歯車２９と更にその下側のバネ受けスペーサー６１は、回動自在に皿ネジ（軸太）５９で挿通されナット６２で留められている。そして、バネ３１は座部３２ａに外嵌され、バネ３１下部の腕部が後ろカバー３３の底板３３ａにビス６３で固定されるとともに、バネ３１上部の腕部がバネ受けスペーサー６１に係止されている。
【００１７】
図６は、保持部材１の断面図であり、軸部３２と保持部材内の各部材の配置や連結を表示する。この図６にある主軸ボルト５８は、軸部３２と底板３３ａを挿通してクリップ３４で留められている。そして、前記軸部３２は後ろカバー３３の底板３３ａに突設され、プレート２１と操作レバー２５は軸部３２に嵌め込まれ、太陽歯車２８は軸部３２に固定されている。また、この各部材は椀形の後ろカバー３３により覆われているため安全である。
【００１８】
図８、図９、図１０は、操作レバー２５を操作することにより連動する保持部材１を構成する各部材の動作状態を示している。ここで、本製品の操作レバー２５を操作することにより、テーブル１２、１２が左右方向にスライドするまでの動きを以下に説明する。手動で操作レバー２５を時計回りに可動させると、操作レバー２５に取り付けられた遊星歯車２９が、後ろカバー３３に一体形成された内歯車３０と噛み合って移動することにより回動し、同時に遊星歯車２９と噛み合っている太陽歯車２８が回動する。そして、この太陽歯車２８と一体化された軸部３２と、この軸部３２に取り付けたプレート２１が回動する。このプレート２１が時計回りに回動すると、このプレート２１の両端に取り付けられた第一連結部材２２、２２が、この第一連結部材２２、２２に繋がるとともにベースプレート１１に形成された長溝１４の溝内に嵌め込まれた第二連結部材２３、２３を押動する。そして、保持具１３を付帯するテーブル１２、１２が取り付けられた第二連結部材２３、２３が長溝１４に沿って左右方向にスライドする。図８は、操作レバー２５を操作せず、保持部材１を構成する各部材が動作していない状態である。図９は、操作レバー２５の可動角度を例えば１５°にすると、それに応じて連動する保持部材１を構成する各部材が可動範囲のほぼ中間まで動作している状態である。図１０は、操作レバー２５の可動角度を例えば３０°にすると、それに応じて連動する保持部材１を構成する各部材が可動範囲のほぼ最大まで動作している状態である。なお、このレバー操作を楽にするために、内歯車３０に対して遊星歯車２９と太陽歯車２８を小さくすることにより、操作レバー２５の可動範囲を小さく、テーブルの広がりが大きくなるように形成されている。
【００１９】
図１１、図１２、図１３は、操作レバー２５の可動角度に対するテーブル１２、１２が左右に開いた状態を図示したものである。図１１は操作レバー２５を可動させず、左右のテーブル１２、１２が中央部分に寄って何も装着していない通常状態、図１２は操作レバー２５の可動角度を例えば約１５°にした場合、テーブル１２、１２が可動範囲のほぼ中間まで開き、スマートフォンＳを装着している状態である。図１３は操作レバー２５の可動角度を例えば約３０°にした場合、テーブル１２、１２が可動範囲のほぼ最大まで開き、タブレット端末Ｔを装着している状態を表している。なお、この情報通信機器を挟持する保持具１３は、逆円錐台の形状であるため色々な厚さの情報通信機器に対応できる。また、保持具１３の素材をゴム等の柔軟素材にすることで、情報通信機器の損傷を防げる。
【００２０】
本発明の主な材質は、デザイン性を重視する為、本体から内部部品まで基本的には木製とする。しかし、衛生面や耐久性を検討し、必要であれば金属性も取り入れ、さらに、量産性や軽量化に対応するためには樹脂製とする。
さらに、用途に対し腐食防止のために全部材をステンレス材、カーボン、チタン材を使用する部品もある。
【符号の説明】
【００２１】
１  保持部材
２  リンク部材
３  リンク部材
４  基台
５  固定部材  
１１  ベースプレート
１２  テーブル
１３  保持具
１４  長溝    
２０  外枠材
２１  プレート
２２  第一連結部材
２３  第二連結部材 
２５  操作レバー
２６  グリップ
２７  切欠部
２８  太陽歯車
２９  遊星歯車
３０  内歯車
３１  バネ
３２  軸部
３２ａ  座部
３２ｂ  中間部
３２ｃ  軸
３３  後ろカバー
３３ａ  底板
３４  クリップ
５０  皿ネジ（長）
５１  スペーサー
５２  保持具固定ビス
５３  ピン部材
５４  保持具固定ナット
５５  ピン部材
５６  ナット
５７  クリップ
５８  主軸ボルト
５９  皿ネジ（軸太）
６０  皿ビス
６１  バネ受けスペーサー
６２  ナット
６３  ビス
【図１】
2016212549.tif 000003
【図２】
2016212549.tif 000004
【図３】
2016212549.tif 000005
【図４】
2016212549.tif 000006
【図５】
2016212549.tif 000007
【図６】
2016212549.tif 000008
【図７】
2016212549.tif 000009
【図８】
2016212549.tif 000010
【図９】
2016212549.tif 000011
【図１０】
2016212549.tif 000012
【図１１】
2016212549.tif 000013
【図１２】
2016212549.tif 000014
【図１３】
2016212549.tif 000015